(57)【要約】      （修正有）【課題】合成装置を介し、無線制御装置（ＲＥＣ）と複数の無線装置（ＲＥ）を光ファイバで接続する基地局システムにおいて。合成装置が制御する出力信号レベルの制御収束時間を短縮する。【解決手段】正規化部３１−１〜３１−ｎは、ＲＥ２０−１〜２０ｎ毎に設けられ、ＲＥが受信した上り信号の電界強度からＲＳＳＩ算出部２６が算出したＲＳＳＩに基いて、上り信号を正規化する。上り信号合成部３３は、それぞれの正規化部が正規化した上り信号を合成して合成信号を生成する。ＡＧＣ３４は、合成信号が所定範囲内の信号レベルになるように、合成信号に基いて合成信号を調整してＲＥＣへ出力する。更に、ＡＧＣは、ＲＳＳＩ合成部３２の出力信号を基に合成信号の変化を抑制するための調整利得を算出し、合成信号に適用される利得に調整利得を加算する。【選択図】図１
2017103560.tif 000002
【特許請求の範囲】
【請求項１】
複数の無線装置の各々によって受信された上り信号を合成して無線制御装置へ出力する合成装置において、
前記無線装置毎に設けられ、該無線装置によって受信された上り信号の強度を示す強度信号に基づいて、該無線装置によって受信された上り信号を正規化する複数の正規化部と、
それぞれの前記正規化部によって正規化された上り信号を合成して第１の合成信号を生成する第１の合成部と、
前記第１の合成部によって生成された第１の合成信号の信号レベルが所定範囲内の信号レベルになるように、前記第１の合成信号の利得を調整して前記無線制御装置へ出力する利得調整部と、
前記強度信号の変化量に基づいて、前記強度信号の変化に伴う前記第１の合成信号の変化を抑制するための調整利得を算出する算出部と、
前記利得調整部によって前記第１の合成信号に適用される利得に、前記調整利得を加算する加算部と
を有することを特徴とする合成装置。
【請求項２】
それぞれの前記無線装置によって受信された上り信号の前記強度信号を合成して第２の合成信号を生成する第２の合成部をさらに有し、
前記算出部は、
前記第２の合成信号の値が所定値以上変化した場合、前記第２の合成信号の値の変化に対応して前記第１の合成信号の信号レベルが低下する場合には前記第１の合成信号の信号レベルを上昇させる前記調整利得を算出し、前記第２の合成信号の値の変化に対応して前記第１の合成信号の信号レベルが上昇する場合には前記第１の合成信号の信号レベルを低下させる前記調整利得を算出することを特徴とする請求項１に記載の合成装置。
【請求項３】
前記算出部は、
前記第２の合成信号の値が所定値以上変化した場合、前記変化が前記第２の合成信号の値の低下であれば、前記第２の合成信号の値の変化に対応して前記第１の合成信号の信号レベルが低下する分、前記第１の合成信号の信号レベルを上昇させる利得を前記調整利得として算出し、前記変化が前記第２の合成信号の値の上昇であれば、前記第２の合成信号の値の変化に対応して前記第１の合成信号の信号レベルが上昇する分、前記第１の合成信号の信号レベルを低下させる利得を前記調整利得として算出することを特徴とする請求項２に記載の合成装置。
【請求項４】
それぞれの前記無線装置によって受信された上り信号の前記強度信号の中で、値が最大の前記強度信号である最大強度信号を特定する特定部をさらに有し、
前記算出部は、
前記最大強度信号の値が所定値以上変化した場合、前記最大強度信号の値の変化に対応して前記第１の合成信号の信号レベルが低下する場合には前記第１の合成信号の信号レベルを上昇させる前記調整利得を算出し、前記最大強度信号の値の変化に対応して前記第１の合成信号の信号レベルが上昇する場合には前記第１の合成信号の信号レベルを低下させる前記調整利得を算出することを特徴とする請求項１に記載の合成装置。
【請求項５】
前記算出部は、
前記最大強度信号の値が所定値以上変化した場合、前記変化が前記最大強度信号の値の低下であれば、前記最大強度信号の値の変化に対応して前記第１の合成信号の信号レベルが低下する分、前記第１の合成信号の信号レベルを上昇させる利得を前記調整利得として算出し、前記変化が前記最大強度信号の値の上昇であれば、前記最大強度信号の値の変化に対応して前記第１の合成信号の信号レベルが上昇する分、前記第１の合成信号の信号レベルを低下させる利得を前記調整利得として算出することを特徴とする請求項４に記載の合成装置。
【発明の詳細な説明】
【技術分野】
【０００１】
本発明は、合成装置に関する。
【背景技術】
【０００２】
１台のＲＥＣ（Radio  Equipment  Controller）と、複数のＲＥ（Radio  Equipment）とが光ファイバ等のケーブルを介して接続された基地局システムが知られている。このような基地局システムにおいて、各ＲＥは、移動局から受信した上り信号をＲＥＣへ送信する場合、上り信号の信号レベルを所定範囲内の信号レベルに調整してからＲＥＣへ送信する。
【０００３】
図１０は、ＲＥ２０の一例を示すブロック図である。ＲＥ２０では、アンテナ２１を介して移動局から送信された上り信号がＲＦ（Radio  Frequency）部２２によりダウンコンバートされ、ＡＤＣ（Analog  to  Digital  Converter）２３によりデジタル信号に変換される。そして、デジタル信号に変換された上り信号は、デジタルフィルタ２４により帯域制限され、ＡＧＣ（Automatic  Gain  Controller）２５により所定範囲内の信号レベルとなるように利得が制御されてＲＥＣへ出力される。また、ＲＳＳＩ（Received  Signal  Strength  Indicator）算出部２６は、デジタルフィルタ２４によって帯域制限された上り信号のＲＳＳＩを算出し、算出したＲＳＳＩをＲＥＣへ出力する。ＲＳＳＩ算出部２６は、所定の周期で上り信号のＲＳＳＩを算出する。
【先行技術文献】
【特許文献】
【０００４】
【特許文献１】特開２００７−１５０９４９号公報
【特許文献２】特開２００８−２０５５７８号公報
【特許文献３】特開２０１０−２６３４３０号公報
【発明の概要】
【発明が解決しようとする課題】
【０００５】
ところで、基地局システムにおいてセルの拡大および縮小をよりフレキシブルに行うために、複数のＲＥとＲＥＣとの間に、複数のＲＥにおいて受信された上り信号を合成してＲＥＣへ出力する合成装置を設けることが考えられる。このような合成装置は、各ＲＥから出力された上り信号とＲＳＳＩとを用いて各ＲＥで受信された上り信号を正規化した後に、正規化された上り信号を合成する。そして、合成装置は、合成された上り信号が所定範囲内の信号レベルとなるようにＡＧＣにより利得制御してＲＥＣへ送信する。また、合成装置は、各ＲＥから出力された上り信号のＲＳＳＩを合成し、合成後のＲＳＳＩをＲＥＣへ送信する。
【０００６】
ここで、各ＲＥが受信した上り信号の信号レベルが急激に低下した場合、各ＲＥから合成装置へ出力される上り信号の信号レベルも急激に低下する。そして、上り信号の信号レベルの急激な低下により、合成装置内で正規化された上り信号も急激に低下する。これにより、正規化された上り信号が合成された信号の信号レベルも急激に低下する。
【０００７】
その後、各ＲＥのＡＧＣが、上り信号の利得を徐々に上昇させることにより、合成装置へ出力される上り信号の信号レベルは徐々に所定範囲内の信号レベルに戻る。合成装置内のＡＧＣにおいても、合成された上り信号の利得を徐々に上昇させることにより、ＲＥＣへ出力される上り信号の信号レベルは徐々に所定範囲内の信号レベルに戻る。
【０００８】
ところで、各ＲＥから出力される上り信号のＲＳＳＩは、所定周期で更新されるため、ＲＳＳＩの値は、上り信号の信号レベルの急激な低下よりも遅れて更新される。そのため、合成装置内では、合成された上り信号の利得がＡＧＣにより所定範囲内の信号レベルに戻った後に、上り信号の信号レベルの急激な低下が反映されたＲＳＳＩが各ＲＥから出力される場合がある。その場合、合成装置において、各ＲＥについて正規化された上り信号の信号レベルが再び低下する。これにより、合成された上り信号の信号レベルが再び低下し、合成装置のＡＧＣは、再び利得を徐々に上昇させる制御を行うことになる。
【０００９】
このように、合成装置では、各ＲＥから出力された上り信号の合成信号に基づくＡＧＣ制御が行われた後に、各ＲＥのＲＳＳＩが更新されたタイミングで、再び合成信号のＡＧＣ制御が行われることになる。ここで、一般的にＡＧＣ制御では、利得を急激に上昇または低下させ過ぎるとヒステリシスに伴う利得の変動が発生する。これを避けるために、ＡＧＣ制御では、利得を徐々に上昇または低下させる制御が行われる。そのため、ＡＧＣ制御が繰り返されると、その分、合成装置からＲＥＣへ出力される上り信号の信号レベルが収束するまでにかかる時間が長くなる。
【００１０】
開示の技術は、上記に鑑みてなされたものであって、合成装置からＲＥＣへ出力される上り信号の信号レベルの収束時間を短縮することを目的とする。
【課題を解決するための手段】
【００１１】
開示の態様では、複数の無線装置の各々によって受信された上り信号を合成して無線制御装置へ出力する合成装置は、複数の正規化部と、第１の合成部と、利得調整部と、算出部と、加算部とを有する。それぞれの正規化部は、無線装置毎に設けられ、該無線装置によって受信された上り信号の強度を示す強度信号に基づいて、該無線装置によって受信された上り信号を正規化する。第１の合成部は、それぞれの正規化部によって正規化された上り信号を合成して第１の合成信号を生成する。利得調整部は、第１の合成部によって生成された第１の合成信号の信号レベルが所定範囲内の信号レベルになるように、第１の合成信号の利得を調整して無線制御装置へ出力する。算出部は、前記強度信号の変化量に基づいて、前記強度信号の変化に伴う前記第１の合成信号の変化を抑制するための調整利得を算出する。加算部は、利得調整部によって第１の合成信号に適用される利得に、調整利得を加算する。
【発明の効果】
【００１２】
開示の態様によれば、合成装置から無線制御装置へ出力される上り信号の信号レベルの収束時間を短縮することができる。
【図面の簡単な説明】
【００１３】
【図１】図１は、実施例１における基地局システムの一例を示す図である。
【図２】図２は、合成装置内のＡＧＣの一例を示すブロック図である。
【図３】図３は、上り信号の信号レベルが急激に低下した場合の合成装置内のＡＧＣの制御タイミングの一例を示すタイミングチャートである。
【図４】図４は、比較例における合成装置内のＡＧＣの制御タイミングの一例を示すタイミングチャートである。
【図５】図５は、上り信号の信号レベルが急激に上昇した場合の合成装置内のＡＧＣの制御タイミングの一例を示すタイミングチャートである。
【図６】図６は、実施例１における合成装置の動作の一例を示すフローチャートである。
【図７】図７は、実施例２における基地局システムの一例を示す図である。
【図８】図８は、実施例２における合成装置の動作の一例を示すフローチャートである。
【図９】図９は、合成装置のハードウェアの一例を示す図である。
【図１０】図１０は、ＲＥの一例を示す図である。
【発明を実施するための形態】
【００１４】
以下に、本願が開示する合成装置の実施例を図面に基づいて説明する。なお、以下に示す実施例により本願が開示する合成装置が限定されるものではない。また、以下に示す各実施例は、適宜組み合わせて実施してもよいことはいうまでもない。
【実施例１】
【００１５】
＜基地局システム１０＞
図１は、実施例１における基地局システム１０の一例を示す図である。本実施例の基地局システム１０は、複数のＲＥ２０−１〜２０−ｎおよび合成装置３０を備える。複数のＲＥ２０−１〜２０−ｎのそれぞれと、合成装置３０とは、光ファイバ等のケーブルで接続されている。なお、以下では、複数のＲＥ２０−１〜２０−ｎのそれぞれを区別することなく総称する場合にＲＥ２０と記載する。それぞれのＲＥ２０は、無線装置の一例である。
【００１６】
本実施例において、基地局システム１０は、移動局との間で、例えばＷ−ＣＤＭＡ（Wideband−Code  Division  Multiple  Access）方式に基づく無線信号を送信および受信する。本実施例の合成装置３０は、移動局へ送信する下り信号については、下り信号をコピーしてそれぞれのＲＥ２０へ送信する。これにより、それぞれのＲＥ２０からは同一の下り信号が同時に送信される。また、本実施例の合成装置３０は、移動局から送信された上り信号については、それぞれのＲＥ２０によって受信された上り信号を合成し、合成された上り信号を光ファイバ等のケーブルを介してＲＥＣへ出力する。ＲＥＣは、無線制御装置の一例である。
【００１７】
＜ＲＥ２０＞
それぞれのＲＥ２０は、例えば図１に示すように、アンテナ２１、ＲＦ部２２、ＡＤＣ２３、デジタルフィルタ２４、ＡＧＣ２５、およびＲＳＳＩ算出部２６を有する。ＲＦ部２２は、アンテナ２１を介して移動局から受信された上り信号に直交復調やダウンコンバート等の処理を施し、処理後の上り信号をＡＤＣ２３へ出力する。ＡＤＣ２３は、ＲＦ部２２から出力された上り信号をアナログ信号からデジタル信号に変換し、デジタル信号に変換された上り信号をデジタルフィルタ２４へ出力する。デジタルフィルタ２４は、ＡＤＣ２３から出力された上り信号の周波数を所定帯域に制限する処理を行い、処理後の上り信号をＡＧＣ２５へ出力する。
【００１８】
ＡＧＣ２５は、デジタルフィルタ２４から出力された上り信号の信号レベルが所定範囲内の信号レベルとなるように、該上り信号の利得を制御する。そして、ＡＧＣ２５は、利得が制御された上り信号を合成装置３０へ出力する。ＡＧＣ２５は、上り信号の利得を変更する場合、所定の変化量で徐々に利得を変更する。これにより、利得変更後の上り信号の信号レベルのヒステリシスが抑制される。本実施例において、上り信号の信号レベルとは、例えば上り信号の振幅である。なお、他の例として、上り信号の信号レベルは、例えば上り信号の電力であってもよい。
【００１９】
ＲＳＳＩ算出部２６は、所定の周期で、デジタルフィルタ２４から出力された上り信号のＲＳＳＩの値を算出する。そして、ＲＳＳＩ算出部２６は、算出されたＲＳＳＩの値を合成装置３０へ出力する。ＲＳＳＩは、ＲＥ２０によって受信された上り信号の強度を示す強度信号の一例である。
【００２０】
＜合成装置３０＞
合成装置３０は、例えば図１に示すように、複数の正規化部３１−１〜３１−ｎ、ＲＳＳＩ合成部３２、上り信号合成部３３、およびＡＧＣ３４を有する。なお、以下では、複数の正規化部３１−１〜３１−ｎのそれぞれを区別することなく総称する場合に正規化部３１と記載する。本実施例において、正規化部３１は、１つのＲＥ２０に対して１つ設けられる。本実施例における合成装置３０は、光多重装置（ＬＭＥ：Light  Multiple  Equipment）と呼ばれる場合がある。
【００２１】
ＲＳＳＩ合成部３２は、それぞれのＲＥ２０から出力されたＲＳＳＩを信号レベルの真値に換算してから合成する。そして、ＲＳＳＩ合成部３２は、合成されたＲＳＳＩの値をＡＧＣ３４およびＲＥＣへ出力する。ＲＳＳＩ合成部３２は、所定の周期で、それぞれのＲＥ２０から出力されるＲＳＳＩの値を合成する。ＲＳＳＩ合成部３２によって合成されたＲＳＳＩの値は、第２の合成信号の一例である。
【００２２】
例えば、合成装置３０に、２つのＲＥ２０−１およびＲＥ２０−２が接続されている場合、ＲＳＳＩ合成部３２は、以下の式（１）に基づいて、合成されたＲＳＳＩである合成ＲＳＳＩを算出する。
合成RSSI＝10×log｛10＾（RSSI1／10）＋10＾（RSSI2／10）｝      ・・・（１）
上記式（１）において、ＲＳＳＩ1は、ＲＥ２０−１から出力されたＲＳＳＩを表し、ＲＳＳＩ2は、ＲＥ２０−２から出力されたＲＳＳＩを表す。また、１０＾（ｘ）は、１０のｘ乗を表す。
【００２３】
それぞれの正規化部３１は、ＲＥ２０のＡＧＣ２５によって利得制御された上り信号と、ＲＥ２０のＲＳＳＩ算出部２６によって算出されたＲＳＳＩの値とに基づいて、ＲＥ２０が受信した上り信号の信号レベルを正規化する。そして、それぞれの正規化部３１は、正規化された上り信号を上り信号合成部３３へ出力する。
【００２４】
ここで、合成装置３０に、２つのＲＥ２０−１およびＲＥ２０−２が接続されており、正規化部３１−１が、ＲＥ２０−１から出力された上り信号を正規化し、正規化部３１−２が、ＲＥ２０−２から出力された上り信号を正規化する場合を考える。この場合、正規化部３１−１は、例えば以下の式（２）に基づいて、ＲＥ２０−１から出力された上り信号のＩ成分を正規化した信号Ｓi1’を算出する。
Ｓi1’＝Ｓi1×｛10＾((RSSI1−合成RSSI)／20)｝      ・・・（２）
上記式（２）において、Ｓi1は、ＲＥ２０−１から出力された正規化前の上り信号のＩ成分を表し、ＲＳＳＩ1は、ＲＥ２０−１から出力されたＲＳＳＩを表す。また、合成ＲＳＳＩは、前述の（１）に基づいて算出された値である。
【００２５】
また、正規化部３１−１は、例えば以下の式（３）に基づいて、ＲＥ２０−１から出力された上り信号のＱ成分を正規化した信号Ｓq1’を算出する。
Ｓq1’＝Ｓq1×｛10＾((RSSI1−合成RSSI)／20)｝      ・・・（３）
上記式（３）において、Ｓq1は、ＲＥ２０−１から出力された正規化前の上り信号のＱ成分を表す。
【００２６】
また、正規化部３１−２は、例えば以下の式（４）に基づいて、ＲＥ２０−２から出力された上り信号のＩ成分を正規化した信号Ｓi2’を算出する。
Ｓi2’＝Ｓi2×｛10＾((RSSI2−合成RSSI)／20)｝      ・・・（４）
上記式（４）において、Ｓi2は、ＲＥ２０−２から出力された正規化前の上り信号のＩ成分を表し、ＲＳＳＩ2は、ＲＥ２０−２から出力されたＲＳＳＩを表す。
【００２７】
また、正規化部３１−２は、例えば以下の式（５）に基づいて、ＲＥ２０−２から出力された上り信号のＱ成分を正規化した信号Ｓq2’を算出する。
Ｓq2’＝Ｓq2×｛10＾((RSSI2−合成RSSI)／20)｝      ・・・（５）
上記式（５）において、Ｓq2は、ＲＥ２０−２から出力された正規化前の上り信号のＱ成分を表す。
【００２８】
なお、上記した各正規化部３１による正規化処理はあくまで一例であり、他の方法により、各ＲＥ２０から出力された上り信号のＩ成分およびＱ成分をそれぞれ正規化してもよい。例えば、各正規化部３１は、合成ＲＳＳＩではなく、各ＲＥ２０から出力されたＲＳＳＩの中で、値が最大のＲＳＳＩを用いて、各ＲＥ２０から出力された上り信号のＩ成分およびＱ成分をそれぞれ正規化してもよい。
【００２９】
上り信号合成部３３は、それぞれの正規化部３１によって信号レベルが正規化された上り信号を合成する。そして、上り信号合成部３３は、合成された上り信号をＡＧＣ３４へ出力する。上り信号合成部３３によって合成された上り信号は、第１の合成信号の一例である。
【００３０】
ＡＧＣ３４は、上り信号合成部３３によって合成された上り信号と、ＲＳＳＩ合成部３２によって合成されたＲＳＳＩの値とに基づいて、該上り信号の信号レベルが所定範囲内の信号レベルとなるように、該上り信号の利得を制御する。そして、ＡＧＣ３４は、利得が制御された上り信号をＲＥＣへ出力する。
【００３１】
このように、合成装置３０は、それぞれのＲＥ２０から出力された上り信号を合成してＲＥＣへ出力すると共に、それぞれのＲＥ２０から出力されたＲＳＳＩの値を合成してＲＥＣへ出力する。これにより、合成装置３０は、既存空間のマルチパスを、複数のＲＥ２０による仮想マルチパスに置き換えることができる。
【００３２】
＜ＡＧＣ３４＞
次に、ＡＧＣ３４の詳細について説明する。図２は、合成装置３０内のＡＧＣ３４の一例を示すブロック図である。ＡＧＣ３４は、信号レベル算出部３４０、利得算出部３４１、利得設定部３４２、および利得付与部３４３を有する。
【００３３】
信号レベル算出部３４０は、上り信号合成部３３によって合成された上り信号の信号レベルを算出する。本実施例において、信号レベル算出部３４０は、例えば、上り信号合成部３３によって合成された上り信号の振幅を、該上り信号の信号レベルとして算出する。なお、他の例として、信号レベル算出部３４０は、例えば、上り信号合成部３３によって合成された上り信号の電力を、該上り信号の信号レベルとして算出してもよい。
【００３４】
利得設定部３４２は、信号レベル算出部３４０によって算出された信号レベルに基づいて、上り信号合成部３３によって合成された上り信号の信号レベルが所定範囲内の信号レベルとなるように、利得付与部３４３に設定される利得Ｇを制御する。例えば、利得設定部３４２は、信号レベル算出部３４０によって算出された信号レベルに基づいて、上り信号合成部３３によって合成された上り信号の信号レベルを所定範囲内の信号レベルにするための目標利得Ｇtを算出する。そして、利得設定部３４２は、算出した目標利得Ｇtから、利得付与部３４３に設定されている現在の利得Ｇを引いた差分利得ΔＧを算出する。
【００３５】
差分利得ΔＧの絶対値が所定の閾値Ｇth以上である場合、利得設定部３４２は、該閾値Ｇthを、利得付与部３４３に設定されている現在の利得Ｇからの変更利得Ｇcとして算出する。ただし、この場合、変更利得Ｇcには、差分利得ΔＧの符号と同一の符号が設定される。そして、利得設定部３４２は、算出した変更利得Ｇcを現在の利得Ｇに加算し、加算後の利得Ｇを利得付与部３４３に設定する。
【００３６】
例えば、目標利得Ｇtが２０ｄＢであり、現在の利得Ｇが１０ｄＢである場合、差分利得ΔＧは＋１０ｄＢとなる。そして、例えば、閾値Ｇthが３ｄＢである場合、差分利得ΔＧの絶対値は閾値Ｇth以上であるため、利得設定部３４２は、閾値Ｇthに差分利得ΔＧと同一の符号が設定された＋３ｄＢを、変更利得Ｇcとして算出する。また、例えば、目標利得Ｇtが１０ｄＢであり、現在の利得Ｇが２０ｄＢである場合、差分利得ΔＧは−１０ｄＢとなる。そして、例えば、閾値Ｇthが３ｄＢである場合、差分利得ΔＧの絶対値は閾値Ｇth以上であるため、利得設定部３４２は、閾値Ｇthに差分利得ΔＧと同一の符号が設定された−３ｄＢを、変更利得Ｇcとして算出する。
【００３７】
このように、利得設定部３４２は、差分利得ΔＧの絶対値が閾値Ｇth以上である場合、利得付与部３４３に設定され利得Ｇを、該閾値Ｇthずつ徐々に変更する。これにより、利得設定部３４２は、利得の急激な変更に伴う信号レベルのオーバーシュートまたはヒステリシスを低減することができる。
【００３８】
一方、差分利得ΔＧの絶対値が閾値Ｇth未満である場合、利得設定部３４２は、該差分利得ΔＧを、利得付与部３４３に設定されている現在の利得Ｇからの変更利得Ｇcとして算出する。そして、利得設定部３４２は、算出した変更利得Ｇcを現在の利得Ｇに加算し、加算後の利得Ｇを利得付与部３４３に設定する。
【００３９】
例えば、目標利得Ｇtが１２ｄＢであり、現在の利得Ｇが１０ｄＢである場合、差分利得ΔＧは＋２ｄＢとなる。そして、例えば、閾値Ｇthが３ｄＢである場合、差分利得ΔＧの絶対値は閾値Ｇth未満であるため、利得設定部３４２は、差分利得ΔＧである＋２ｄＢを変更利得Ｇcとして算出する。また、例えば、目標利得Ｇtが１０ｄＢであり、現在の利得Ｇが１２ｄＢである場合、差分利得ΔＧは−２ｄＢとなる。そして、例えば、閾値Ｇthが３ｄＢである場合、差分利得ΔＧの絶対値は閾値Ｇth未満であるため、利得設定部３４２は、差分利得ΔＧである−２ｄＢを変更利得Ｇcとして算出する。
【００４０】
また、利得設定部３４２は、利得算出部３４１から後述する調整利得Ｇadjが出力された場合、利得付与部３４３に設定されている現在の利得Ｇに、利得算出部３４１から出力された調整利得Ｇadjを加算する。そして、利得設定部３４２は、加算後の利得Ｇを利得付与部３４３に設定する。
【００４１】
利得付与部３４３は、上り信号合成部３３によって合成された上り信号に、利得設定部３４２によって設定された利得Ｇを付与する。これにより、上り信号合成部３３によって合成された上り信号の信号レベルは、利得設定部３４２によって設定された利得Ｇに応じた信号レベルに制御される。そして、利得付与部３４３は、利得設定部３４２によって設定された利得Ｇによって信号レベルが制御された上り信号をＲＥＣへ出力する。利得付与部３４３は、利得調整部の一例である。
【００４２】
利得算出部３４１は、ＲＳＳＩ合成部３２によって合成されたＲＳＳＩの値の変化量ΔＲに基づいて、ＲＳＳＩの変化に伴う第１の合成信号の変化を抑制するための利得である調整利得Ｇadjを算出する。例えば、利得算出部３４１は、ＲＳＳＩ合成部３２によって今回合成されたＲＳＳＩの値から、ＲＳＳＩ合成部３２によって前回合成されたＲＳＳＩの値を引くことにより、ＲＳＳＩの値の変化量ΔＲを算出する。そして、利得算出部３４１は、算出された変化量ΔＲの絶対値が所定の閾値Ｒth以上か否かを判定する。本実施例において、閾値Ｒthは、例えば３ｄＢに相当するＲＳＳＩの値である。
【００４３】
変化量ΔＲの絶対値が閾値Ｒth以上である場合、利得算出部３４１は、該変化量ΔＲに応じて生じる上り信号の信号レベルの変動とは逆の変動を生じさせる調整利得Ｇadjを算出する。そして、利得算出部３４１は、算出された調整利得Ｇadjを利得設定部３４２へ出力し、ＲＳＳＩ合成部３２によって今回合成されたＲＳＳＩの値を保持する。利得算出部３４１によって算出される調整利得Ｇadjは、変化量ΔＲに対応する上り信号の信号レベルの変化を相殺する利得である。利得付与部３４３の現在の利得Ｇに調整利得Ｇadjが加算された利得は、変化量ΔＲのＲＳＳＩの変化に対応して信号レベルが変化した場合の上り信号に対して算出される目標利得Ｇtに相当する。
【００４４】
例えば、ＲＳＳＩ合成部３２が合成したＲＳＳＩの値が低下している場合、即ち、変化量ΔＲが負の値である場合、利得算出部３４１は、上り信号合成部３３が合成した上り信号の信号レベルを上昇させる利得を調整利得Ｇadjとして算出する。例えば、利得算出部３４１は、ＲＳＳＩ合成部３２が合成したＲＳＳＩの値の低下に応じて上り信号合成部３３が合成した上り信号の信号レベルが低下する分、該上り信号の信号レベルを上昇させる利得を調整利得Ｇadjとして算出する。これにより、ＲＳＳＩ合成部３２が合成したＲＳＳＩの値の低下に応じて、上り信号合成部３３が合成した上り信号の信号レベルが低下した場合でも、利得付与部３４３に設定される利得Ｇが調整利得Ｇadj分上昇する。そのため、利得付与部３４３から出力される上り信号の信号レベルの変動が抑制される。
【００４５】
また、例えば、ＲＳＳＩ合成部３２が合成したＲＳＳＩの値が上昇している場合、即ち、変化量ΔＲが正の値である場合、利得算出部３４１は、上り信号合成部３３が合成した上り信号の信号レベルを低下させる利得を調整利得Ｇadjとして算出する。例えば、利得算出部３４１は、ＲＳＳＩ合成部３２が合成したＲＳＳＩの値の上昇に応じて上り信号合成部３３が合成した上り信号の信号レベルが上昇する分、該上り信号の信号レベルを低下させる利得を調整利得Ｇadjとして算出する。これにより、ＲＳＳＩ合成部３２が合成したＲＳＳＩの値の上昇に応じて、上り信号合成部３３が合成した上り信号の信号レベルが上昇した場合でも、利得付与部３４３に設定される利得Ｇが調整利得Ｇadj分低下する。そのため、利得付与部３４３から出力される上り信号の信号レベルの変動が抑制される。
【００４６】
＜制御タイミング＞
図３は、上り信号の信号レベルが急激に低下した場合の合成装置３０内のＡＧＣ３４の制御タイミングの一例を示すタイミングチャートである。
【００４７】
まず、例えば図３（ａ）に示すように、各ＲＥ２０で受信される上り信号の信号レベルが時刻ｔ1において急激に低下した場合、各ＲＥ２０から出力される上り信号の信号レベルも、例えば図３（ｂ）に示すように急激に低下する。その後、各ＲＥ２０内のＡＧＣ２５は、上り信号の利得を徐々に上昇させる。これにより、例えば図３（ｂ）に示すように、各ＲＥ２０から出力される上り信号の信号レベルは、時刻ｔ2において、所定範囲内の信号レベルに戻る。
【００４８】
一方、各ＲＥ２０から出力されるＲＳＳＩの値は、例えば図３（ｃ）に示すように、ＲＥ２０で受信された上り信号の信号レベルが急激に低下した時刻ｔ1から例えばΔｔ遅れた時刻ｔ3において、急激に低下する。各ＲＥ２０から出力されたＲＳＳＩの値は、ＲＳＳＩ合成部３２によって合成される。
【００４９】
合成装置３０の各正規化部３１によって正規化された上り信号の信号レベルは、ＲＥ２０から出力された上り信号の信号レベルが時刻ｔ1において急激に低下することにより、例えば図３（ｄ）に示すように、時刻ｔ1において急激に低下する。その後、各ＲＥ２０から出力される上り信号の信号レベルの上昇に伴い、各正規化部３１によって正規化された上り信号の信号レベルは、例えば図３（ｄ）に示すように徐々に上昇する。
【００５０】
ここで、例えば図３（ｃ）に示したように、時刻ｔ1から時刻ｔ3までの期間では、各ＲＥ２０から出力されたＲＳＳＩの値は変更されない。そのため、時刻ｔ2において、各ＲＥ２０から出力された上り信号の信号レベルが元の信号レベルに戻ると、時刻ｔ2において、各正規化部３１によって正規化された上り信号の信号レベルも、例えば図３（ｄ）に示すように、元の信号レベルに戻る。各正規化部３１によって正規化された上り信号は、上り信号合成部３３によって合成される。
【００５１】
次に、時刻ｔ3において各ＲＥ２０から出力されたＲＳＳＩの値が急激に低下すると、各正規化部３１によって正規化された上り信号の信号レベルも、例えば図３（ｄ）に示すように、時刻ｔ3において再び低下する。
【００５２】
ここで、合成装置３０内の利得算出部３４１は、ＲＳＳＩ合成部３２によって今回合成されたＲＳＳＩの値から、ＲＳＳＩ合成部３２によって前回合成されたＲＳＳＩの値を引いた変化量ΔＲが閾値Ｒth以上であるか否かを判定している。利得算出部３４１は、時刻ｔ3において、変化量ΔＲが閾値Ｒth以上であることを検出した場合、例えば図３（ｅ）に示すように、該変化量ΔＲに基づいて、上り信号合成部３３が合成した上り信号の変動とは逆の変動を生じさせる調整利得Ｇadjを算出する。図３（ｅ）の例では、利得算出部３４１は、上り信号合成部３３が合成した上り信号の信号レベルを上昇させる調整利得Ｇadjを算出する。そして、利得算出部３４１は、算出された調整利得Ｇadjを利得設定部３４２へ出力する。
【００５３】
合成装置３０内の利得設定部３４２は、時刻ｔ1において、上り信号合成部３３が合成した上り信号の信号レベルの急激な低下を検出し、例えば図３（ｆ）に示すように、該上り信号の利得の上昇を開始する。具体的には、利得設定部３４２は、上り信号合成部３３が合成した上り信号の信号レベルと、利得付与部３４３に設定されている現在の利得Ｇとに基づいて、変更利得Ｇcを算出する。そして、利得設定部３４２は、算出された変更利得Ｇcを、利得付与部３４３に設定されている現在の利得Ｇに加算し、加算後の利得Ｇを利得付与部３４３に設定する。
【００５４】
その後、正規化部３１によって正規化された上り信号の信号レベルが徐々に元に戻ることにより、上り信号合成部３３が合成した上り信号の信号レベルも徐々に元に戻る。これにより、利得設定部３４２は、例えば図３（ｆ）に示すように、時刻ｔ2において利得付与部３４３に設定される利得Ｇを元の利得Ｇに戻す。
【００５５】
次に、時刻ｔ3において利得算出部３４１から調整利得Ｇadjが出力されると、利得設定部３４２は、利得算出部３４１から出力された調整利得Ｇadjを、利得付与部３４３に設定されている現在の利得Ｇに加算し、加算後の利得Ｇを利得付与部３４３に設定する。これにより、時刻ｔ3において利得付与部３４３に設定される利得Ｇは、例えば図３（ｆ）に示すように、ＲＥ２０から出力されたＲＳＳＩの値の急激な低下に同期して、調整利得Ｇadj分、急激に上昇する。
【００５６】
合成装置３０からＲＥＣへ出力される上り信号の信号レベルは、例えば図３（ｇ）に示すように、時刻ｔ1において急激に低下した後に、時刻ｔ2において元の信号レベルに戻る。その後、時刻ｔ3においてＲＥ２０から出力されたＲＳＳＩの値が急激に低下しても、合成装置３０から出力される上り信号の信号レベルの低下は、利得付与部３４３に設定される利得Ｇの上昇によって相殺される。そのため、合成装置３０から出力される上り信号の信号レベルは、例えば図３（ｇ）に示すように、時刻ｔ3においてほとんど変動しない。これにより、ＲＥ２０が受信した上り信号の信号レベルが急激に変化した場合であっても、合成装置３０からＲＥＣへ出力される上り信号の信号レベルを迅速に収束させることができる。
【００５７】
ここで、比較例の合成装置３０について説明する。図４は、比較例の合成装置３０内のＡＧＣ３４の制御タイミングの一例を示すタイミングチャートである。比較例の合成装置内のＡＧＣ３４には、利得算出部３４１が設けられていない。そのため、比較例の合成装置３０内の利得設定部３４２は、信号レベル算出部３４０が算出した信号レベルに基づいて、上り信号合成部３３が合成した上り信号の信号レベルが所定範囲内の信号レベルとなるように、利得付与部３４３に設定される利得Ｇを制御する。なお、図４（ａ）〜（ｄ）に示すタイミングチャートは、図３（ａ）〜（ｄ）において説明したタイミングチャートと同様であるため、重複する説明を省略する。
【００５８】
合成装置３０内の利得設定部３４２は、時刻ｔ1において、上り信号合成部３３から出力された上り信号の信号レベルの急激な低下を検出し、例えば図４（ｅ）に示すように、利得付与部３４３に設定される利得Ｇの上昇を開始する。その後、正規化部３１によって正規化された上り信号の信号レベルが徐々に元に戻ることにより、利得設定部３４２は、利得付与部３４３に設定される利得Ｇを元に戻す。これにより、利得設定部３４２は、例えば図４（ｅ）に示すように、時刻ｔ2において利得付与部３４３に設定される利得Ｇを元の利得Ｇに戻す。
【００５９】
次に、時刻ｔ3において上り信号合成部３３から出力された上り信号の信号レベルが急激に低下すると、利得設定部３４２は、信号レベル算出部３４０が算出した上り信号の信号レベルと、利得付与部３４３の現在の利得Ｇとに基づいて、変更利得Ｇcを算出する。そして、利得設定部３４２は、利得付与部３４３の利得Ｇを、変更利得Ｇcずつ徐々に上昇させる。これにより、利得付与部３４３に設定される利得Ｇが徐々に上昇し、時刻ｔ４において、利得付与部３４３に設定される利得Ｇが目標利得Ｇtに到達する。
【００６０】
合成装置３０からＲＥＣへ出力される上り信号の信号レベルは、例えば図４（ｆ）に示すように、時刻ｔ1において急激に低下した後に、時刻ｔ2において元の信号レベルに戻る。その後、時刻ｔ3において上り信号合成部３３によって合成された上り信号の信号レベルの急激な低下により、例えば図４（ｆ）に示すように、合成装置３０からＲＥＣへ出力される上り信号の信号レベルは、再び急激に低下する。そして、利得付与部３４３に設定される利得Ｇの上昇に従って、合成装置３０からＲＥＣへ出力される上り信号の信号レベルは徐々に上昇し、時刻ｔ4において元の信号レベルに戻る。
【００６１】
このように、比較例の合成装置３０では、図４に示したように、上り信号の信号レベルが時刻ｔ1において急激に低下した場合、合成装置３０からＲＥＣへ出力される上り信号の信号レベルは、時刻ｔ1から時刻ｔ4までの期間において変動する。これに対し、本実施例の合成装置３０では、図３に示したように、上り信号の信号レベルが時刻ｔ1において急激に低下した場合、合成装置３０からＲＥＣへ出力される上り信号の信号レベルは、時刻ｔ2までにほぼ安定する。そのため、本実施例の合成装置３０は、ＲＥ２０が受信した上り信号の信号レベルが急激に変化した場合であっても、ＲＥＣへ出力される上り信号の信号レベルを迅速に収束させることができる。
【００６２】
なお、上り信号の信号レベルが急激に上昇した場合においても、合成装置３０は、ＲＥＣへ出力される上り信号の信号レベルの収束時間を短縮することができる。図５は、上り信号の信号レベルが急激に上昇した場合の合成装置３０内のＡＧＣ３４の制御タイミングの一例を示すタイミングチャートである。
【００６３】
例えば図５（ａ）に示すように、各ＲＥ２０で受信された上り信号の信号レベルが時刻ｔ1において急激に上昇した場合、各ＲＥ２０から出力される上り信号の信号レベルも、例えば図５（ｂ）に示すように急激に上昇する。その後、各ＲＥ２０のＡＧＣ２５は、上り信号の利得を徐々に低下させる。これにより、例えば図５（ｂ）に示すように、各ＲＥ２０から出力される上り信号の信号レベルは、時刻ｔ2において、所定範囲内の信号レベルに戻る。
【００６４】
一方、各ＲＥ２０から出力されるＲＳＳＩの値は、例えば図５（ｃ）に示すように、各ＲＥ２０で受信された上り信号の信号レベルが急激に上昇した時刻ｔ1から例えばΔｔ遅れた時刻ｔ3において、急激に上昇する。
【００６５】
合成装置３０の正規化部３１によって正規化された上り信号の信号レベルは、ＲＥ２０から出力された上り信号の信号レベルが時刻ｔ1において急激に上昇することにより、例えば図５（ｄ）に示すように、時刻ｔ1において急激に上昇する。その後、ＲＥ２０から出力される上り信号の信号レベルの低下に伴い、正規化部３１によって正規化された上り信号の信号レベルは、例えば図５（ｄ）に示すように徐々に低下し、元の信号レベルに戻る。
【００６６】
次に、時刻ｔ3においてＲＥ２０から出力されたＲＳＳＩの値が急激に上昇すると、合成装置３０の正規化部３１によって正規化された上り信号の信号レベルも、例えば図５（ｄ）に示すように、時刻ｔ3において再び上昇する。
【００６７】
利得算出部３４１は、時刻ｔ3において、ＲＳＳＩ合成部３２が合成したＲＳＳＩの値の変化量ΔＲが閾値Ｒth以上であることを検出する。そして、利得算出部３４１は、例えば図５（ｅ）に示すように、該変化量ΔＲに基づいて、上り信号合成部３３によって合成される上り信号の変動とは逆の変動を生じさせる調整利得Ｇadjを算出する。図５（ｅ）の例では、利得算出部３４１は、上り信号合成部３３が合成した上り信号の信号レベルを低下させる調整利得Ｇadjを算出する。そして、利得算出部３４１は、時刻ｔ3において、算出された調整利得Ｇadjを利得設定部３４２へ出力する。
【００６８】
合成装置３０内の利得設定部３４２は、時刻ｔ1において、上り信号合成部３３から出力された上り信号の信号レベルの急激な上昇を検出し、例えば図５（ｆ）に示すように、ＲＥＣへ出力される上り信号の利得Ｇを低下させ始める。そして、利得設定部３４２は、正規化部３１によって正規化された上り信号の信号レベルが徐々に元に戻ることにより、例えば図５（ｆ）に示すように、時刻ｔ2において利得付与部３４３に設定される利得Ｇを元の利得Ｇに戻す。
【００６９】
次に、時刻ｔ3において、利得算出部３４１から調整利得Ｇadjが出力されると、利得設定部３４２は、利得算出部３４１から出力された調整利得Ｇadjを、利得付与部３４３の現在の利得Ｇに加算し、加算後の利得Ｇを利得付与部３４３に設定する。これにより、時刻ｔ3において利得付与部３４３に設定される利得Ｇは、例えば図５（ｆ）に示すように、ＲＥ２０から出力されたＲＳＳＩの値の急激な上昇に同期して、調整利得Ｇadj分、急激に低下する。
【００７０】
合成装置３０からＲＥＣへ出力される上り信号の信号レベルは、例えば図５（ｇ）に示すように、時刻ｔ1において急激に上昇した後に、時刻ｔ2において元の信号レベルに戻る。その後、時刻ｔ3においてＲＥ２０から出力されたＲＳＳＩの値が急激に上昇しても、合成装置３０から出力される上り信号の信号レベルの上昇は、利得付与部３４３に設定される利得Ｇの低下によって相殺される。そのため、合成装置３０から出力される上り信号の信号レベルは、例えば図５（ｇ）に示すように、時刻ｔ3においてほとんど変動しない。これにより、ＲＥ２０が受信した上り信号の信号レベルが急激に変化した場合であっても、合成装置３０からＲＥＣへ出力される上り信号の信号レベルを迅速に収束させることができる。
【００７１】
＜合成装置３０の動作＞
図６は、実施例１における合成装置３０の動作の一例を示すフローチャートである。合成装置３０は、所定の周期で図６に示す動作を開始する。
【００７２】
まず、各正規化部３１は、各ＲＥ２０から出力された上り信号およびＲＳＳＩの値に基づいて、各ＲＥ２０から出力された上り信号の信号レベルを正規化する（Ｓ１００）。そして、各正規化部３１は、信号レベルが正規化された上り信号を上り信号合成部３３へ出力する。上り信号合成部３３は、各正規化部３１から出力された上り信号を合成する（Ｓ１０１）。
【００７３】
次に、ＲＳＳＩ合成部３２は、各ＲＥ２０から出力されたＲＳＳＩを信号レベルの真値に換算してから合成する（Ｓ１０２）。そして、ＲＳＳＩ合成部３２は、合成後のＲＳＳＩの値をＡＧＣ３４およびＲＥＣへ出力する。
【００７４】
次に、ＡＧＣ３４の利得算出部３４１は、ＲＳＳＩ合成部３２によって合成されたＲＳＳＩの値に基づいて、ＲＳＳＩの値の変化量ΔＲを算出する（Ｓ１０３）。利得算出部３４１は、例えば、ＲＳＳＩ合成部３２によって今回合成されたＲＳＳＩの値から、ＲＳＳＩ合成部３２によって前回合成されたＲＳＳＩの値を引くことにより、ＲＳＳＩの値の変化量ΔＲを算出する。
【００７５】
次に、利得算出部３４１は、算出した変化量ΔＲの絶対値が所定の閾値Ｒth以上か否かを判定する（Ｓ１０４）。変化量ΔＲの絶対値が閾値Ｒth以上である場合（Ｓ１０４：Ｙｅｓ）、利得算出部３４１は、該変化量ΔＲに応じて生じる上り信号の変動とは逆の変動を生じさせる調整利得Ｇadjを算出する（Ｓ１０５）。そして、利得算出部３４１は、算出した調整利得Ｇadjを利得設定部３４２へ出力し、ＲＳＳＩ合成部３２によって今回合成されたＲＳＳＩの値を保持する。
【００７６】
次に、利得設定部３４２、利得算出部３４１から出力された調整利得Ｇadjを、利得付与部３４３に設定されている現在の利得Ｇに加算する（Ｓ１０６）。そして、利得設定部３４２は、加算後の利得Ｇを利得付与部３４３に設定する。
【００７７】
次に、利得付与部３４３は、上り信号合成部３３によって合成された上り信号に、利得設定部３４２によって設定された利得Ｇを付与する（Ｓ１０７）。これにより、上り信号合成部３３によって合成された上り信号の信号レベルは、利得設定部３４２によって設定された利得Ｇに応じた信号レベルに制御される。そして、利得付与部３４３は、利得付与後の上り信号をＲＥＣへ出力する（Ｓ１０８）。
【００７８】
一方、変化量ΔＲの絶対値が閾値Ｒth未満である場合（Ｓ１０４：Ｎｏ）、利得設定部３４２は、信号レベル算出部３４０によって算出された信号レベルに基づいて目標利得Ｇtを算出する（Ｓ１０９）。そして、利得設定部３４２は、算出した目標利得Ｇtと、利得付与部３４３の現在の利得Ｇとに基づいて、変更利得Ｇcを算出する（Ｓ１１０）。そして、利得設定部３４２は、算出された変更利得Ｇcを、利得付与部３４３に設定されている現在の利得Ｇに加算する（Ｓ１１１）。そして、利得設定部３４２は、加算後の利得Ｇを利得付与部３４３に設定する。そして、利得付与部３４３は、ステップＳ１０７に示した処理を実行する。
【００７９】
＜実施例１の効果＞
上記説明から明らかなように、本実施例の合成装置３０は、複数の正規化部３１と、上り信号合成部３３と、利得付与部３４３と、利得算出部３４１と、利得設定部３４２とを有する。それぞれの正規化部３１は、ＲＥ２０毎に設けられ、該ＲＥ２０によって受信された上り信号の強度を示すＲＳＳＩに基づいて、該ＲＥ２０によって受信された上り信号を正規化する。上り信号合成部３３は、それぞれの正規化部３１によって正規化された上り信号を合成して第１の合成信号を生成する。利得付与部３４３は、上り信号合成部３３によって生成された第１の合成信号の信号レベルが所定範囲内の信号レベルになるように、第１の合成信号の利得を調整してＲＥＣへ出力する。利得算出部３４１は、ＲＳＳＩの変化量に基づいて、ＲＳＳＩの変化に伴う第１の合成信号の変化を抑制するための調整利得Ｇadjを算出する。利得設定部３４２は、利得付与部３４３によって第１の合成信号に適用される利得に、調整利得Ｇadjを加算する。これにより、合成装置３０は、合成装置３０からＲＥＣへ出力される上り信号の信号レベルの収束時間を短縮することができる。
【００８０】
また、本実施例の合成装置３０は、それぞれのＲＥ２０によって受信された上り信号のＲＳＳＩを合成して第２の合成信号を生成するＲＳＳＩ合成部３２をさらに有する。また、利得算出部３４１は、第２の合成信号の値が所定値以上変化した場合、第２の合成信号の値の変化に対応して第１の合成信号の信号レベルが低下する場合には第１の合成信号の信号レベルを上昇させる調整利得Ｇadjを算出する。また、利得算出部３４１は、第２の合成信号の値の変化に対応して第１の合成信号の信号レベルが上昇する場合には第１の合成信号の信号レベルを低下させる調整利得Ｇadjを算出する。これにより、合成装置３０は、合成装置３０からＲＥＣへ出力される上り信号の信号レベルの収束時間を短縮することができる。
【００８１】
また、本実施例の利得算出部３４１は、第２の合成信号の値が所定値以上変化した場合、該変化が第２の合成信号の値の低下であれば、第２の合成信号の値の変化に対応して第１の合成信号の信号レベルが低下する分、第１の合成信号の信号レベルを上昇させる利得を調整利得Ｇadjとして算出する。また、本実施例の利得算出部３４１は、第２の合成信号の値が所定値以上変化した場合、該変化が第２の合成信号の値の上昇であれば、第２の合成信号の値の変化に対応して第１の合成信号の信号レベルが上昇する分、第１の合成信号の信号レベルを低下させる利得を調整利得Ｇadjとして算出する。これにより、合成装置３０は、合成装置３０からＲＥＣへ出力される上り信号の信号レベルの収束時間をさらに短縮することができる。
【実施例２】
【００８２】
＜基地局システム１０＞
実施例１の合成装置３０は、各ＲＥ２０から出力されたＲＳＳＩを合成した値の変化に基づいて調整利得Ｇadjを算出する。これに対し、実施例２の合成装置３０は、各ＲＥ２０から出力されたＲＳＳＩの値の中で最大の値のＲＳＳＩの変化に基づいて調整利得Ｇadjを算出する点が、実施例１の合成装置３０とは異なる。図７は、実施例２における基地局システム１０の一例を示す図である。本実施例の基地局システム１０は、複数のＲＥ２０−１〜２０−ｎおよび合成装置３０を備える。なお、以下に説明する点を除き、図７において、図１と同じ符号を付したブロックは、図１におけるブロックと同一または同様の機能を有するため、重複する説明を省略する。
【００８３】
＜合成装置３０＞
合成装置３０は、例えば図７に示すように、複数の正規化部３１−１〜３１−ｎ、ＲＳＳＩ合成部３２、上り信号合成部３３、ＡＧＣ３４、および最大ＲＳＳＩ特定部３５を有する。
【００８４】
ＲＳＳＩ合成部３２は、それぞれのＲＥ２０から出力されたＲＳＳＩを信号レベルの真値に換算してから合成する。そして、ＲＳＳＩ合成部３２は、合成されたＲＳＳＩの値をＲＥＣへ出力する。
【００８５】
最大ＲＳＳＩ特定部３５は、それぞれのＲＥ２０から出力されたＲＳＳＩの値の中で、最大のＲＳＳＩ（以下、最大ＲＳＳＩと呼ぶ）の値を特定する。そして、最大ＲＳＳＩ特定部３５は、特定した最大ＲＳＳＩの値をＡＧＣ３４へ出力する。最大ＲＳＳＩ特定部３５は、所定の周期で、最大ＲＳＳＩの値を特定する。最大ＲＳＳＩ特定部３５は、特定部の一例である。また、最大ＲＳＳＩ特定部３５によって特定される最大ＲＳＳＩの値は、最大強度信号の一例である。また、上り信号合成部３３によって合成された上り信号は、合成信号の一例である。
【００８６】
ＡＧＣ３４は、ＡＧＣ３４は、信号レベル算出部３４０、利得算出部３４１、利得設定部３４２、および利得付与部３４３を有する。なお、以下に説明する点を除き、本実施例におけるＡＧＣ３４は、図２に示した実施例１におけるＡＧＣ３４と同様であるため、重複する説明を省略する。
【００８７】
本実施例の利得算出部３４１は、最大ＲＳＳＩ特定部３５によって特定された最大ＲＳＳＩの値に基づいて、最大ＲＳＳＩの値の変化量を変化量ΔＲとして算出する。例えば、利得算出部３４１は、最大ＲＳＳＩ特定部３５によって今回特定された最大ＲＳＳＩの値から、最大ＲＳＳＩ特定部３５によって前回特定された最大ＲＳＳＩの値を引くことにより、最大ＲＳＳＩの値の変化量ΔＲを算出する。なお、最大ＲＳＳＩ特定部３５によって前回特定された最大ＲＳＳＩの値を出力したＲＥ２０と、最大ＲＳＳＩ特定部３５によって今回特定された最大ＲＳＳＩの値を出力したＲＥ２０とは、同一のＲＥ２０であるとは限らない。利得算出部３４１は、算出された変化量ΔＲに基づいて調整利得Ｇadjを算出する。利得算出部３４１によって行われる調整利得Ｇadjの算出方法については、実施例１の利得算出部３４１によって行われる調整利得Ｇadjの算出方法と同様であるため、重複説明を省略する。
【００８８】
それぞれのＲＥ２０から出力されたＲＳＳＩの値では、最大のＲＳＳＩの値と、２番目に大きいＲＳＳＩの値との差が大きい場合が多い。最大のＲＳＳＩの値と、２番目に大きいＲＳＳＩの値との差が大きい場合、それぞれのＲＥ２０から出力されたＲＳＳＩが合成された値では、最大のＲＳＳＩの値が支配的となる。そのため、最大のＲＳＳＩの値と、２番目に大きいＲＳＳＩの値との差が大きい場合、最大のＲＳＳＩの値は、それぞれのＲＥ２０から出力されたＲＳＳＩを合成した値に近い値となる。従って、最大ＲＳＳＩの値の変化量ΔＲに基づいて算出された調整利得Ｇadjは、ＲＳＳＩ合成部３２によって合成されたＲＳＳＩの値の変化量ΔＲに基づいて算出された調整利得Ｇadjに近い値となる。
【００８９】
ここで、最大ＲＳＳＩ特定部３５による最大ＲＳＳＩの特定処理は、ＲＳＳＩ合成部３２によるＲＳＳＩの値の合成処理よりも短い時間で実行されうる。そのため、それぞれのＲＥ２０から出力されたＲＳＳＩの値が変化した場合、最大ＲＳＳＩ特定部３５は、迅速に最大ＲＳＳＩの値を利得算出部３４１へ出力することができる。従って、それぞれのＲＥ２０から出力されたＲＳＳＩの値が変化したタイミングと、最大ＲＳＳＩの値の変化量ΔＲに基づく調整利得Ｇadjが利得付与部３４３の利得Ｇに反映されるタイミングとの時間差が短くなる。これにより、合成装置３０は、ＲＥ２０から出力されたＲＳＳＩの値が変化するタイミングにおける、合成装置３０からＲＥＣへ出力される上り信号の信号レベルの変動をさらに抑制することができる。
【００９０】
＜合成装置３０の動作＞
図８は、実施例２における合成装置３０の動作の一例を示すフローチャートである。合成装置３０は、所定の周期で図８に示す動作を開始する。なお、以下に説明する点を除き、図８において、図６と同じ符号を付した処理は、図６における処理と同様の処理であるため、重複する説明を省略する。
【００９１】
ステップＳ１０１に示した処理が実行された後、ＲＳＳＩ合成部３２は、各ＲＥ２０から出力されたＲＳＳＩを信号レベルの真値に換算してから合成する。そして、ＲＳＳＩ合成部３２は、合成後のＲＳＳＩの値をＲＥＣへ出力する。
【００９２】
次に、最大ＲＳＳＩ特定部３５は、それぞれのＲＥ２０から出力されたＲＳＳＩの値の中から最大ＲＳＳＩの値を特定する（Ｓ２００）。そして、最大ＲＳＳＩ特定部３５は、特定した最大ＲＳＳＩの値をＡＧＣ３４へ出力する。
【００９３】
次に、ＡＧＣ３４の利得算出部３４１は、最大ＲＳＳＩ特定部３５によって特定された最大ＲＳＳＩの値に基づいて、最大ＲＳＳＩ特定部３５によって前回特定された最大ＲＳＳＩの値との差分を変化量ΔＲとして算出する（Ｓ２０１）。そして、利得算出部３４１は、ステップＳ１０４に示した処理を実行する。
【００９４】
＜実施例２の効果＞
上記説明から明らかなように、本実施例の合成装置３０は、それぞれのＲＥ２０によって受信された上り信号のＲＳＳＩの中で、値が最大のＲＳＳＩである最大ＲＳＳＩを特定する最大ＲＳＳＩ特定部３５をさらに有する。また、利得算出部３４１は、最大ＲＳＳＩの値が所定値以上変化した場合、最大ＲＳＳＩの値の変化に対応して第１の合成信号の信号レベルが低下する場合には第１の合成信号の信号レベルを上昇させる調整利得Ｇadjを算出する。また、利得算出部３４１は、最大ＲＳＳＩの値が所定値以上変化した場合、最大ＲＳＳＩの値の変化に対応して第１の合成信号の信号レベルが上昇する場合には第１の合成信号の信号レベルを低下させる調整利得Ｇadjを算出する。これにより、合成装置３０は、合成装置３０からＲＥＣへ出力される上り信号の信号レベルの収束時間を短縮することができる。
【００９５】
また、本実施例の利得算出部３４１は、最大ＲＳＳＩの値が所定値以上変化した場合、該変化が最大ＲＳＳＩの値の低下であれば、最大ＲＳＳＩの値の変化に対応して第１の合成信号の信号レベルが低下する分、該第１の合成信号の信号レベルを上昇させる利得を調整利得Ｇadjとして算出する。また、本実施例の利得算出部３４１は、最大ＲＳＳＩの値が所定値以上変化した場合、該変化が最大ＲＳＳＩの値の上昇であれば、最大ＲＳＳＩの値の変化に対応して第１の合成信号の信号レベルが上昇する分、該第１の合成信号の信号レベルを低下させる利得を調整利得Ｇadjとして算出する。これにより、合成装置３０は、合成装置３０からＲＥＣへ出力される上り信号の信号レベルの収束時間をさらに短縮することができる。
【００９６】
＜ハードウェア＞
図９は、合成装置３０のハードウェアの一例を示す図である。合成装置３０は、例えば図９に示すように、メモリ３００、プロセッサ３０１、およびネットワークインターフェイス回路３０２を有する。
【００９７】
ネットワークインターフェイス回路３０２は、各ＲＥ２０およびＲＥＣとの間で通信データの送受信を行う。実施例１において、メモリ３００には、複数の正規化部３１、ＲＳＳＩ合成部３２、上り信号合成部３３、およびＡＧＣ３４の機能を実現するためのプログラムなどの各種プログラムが格納される。プロセッサ３０１は、メモリ３００から読み出したプログラムを実行し、ネットワークインターフェイス回路３０２等と協働する。これにより、実施例１において、プロセッサ３０１は、複数の正規化部３１、ＲＳＳＩ合成部３２、上り信号合成部３３、およびＡＧＣ３４の機能を実現する。
【００９８】
また、実施例２において、メモリ３００には、複数の正規化部３１、ＲＳＳＩ合成部３２、上り信号合成部３３、ＡＧＣ３４、および最大ＲＳＳＩ特定部３５の機能を実現するためのプログラムなどの各種プログラムが格納される。実施例２において、プロセッサ３０１は、メモリ３００から読み出したプログラムを実行し、ネットワークインターフェイス回路３０２等と協働する。これにより、実施例２において、プロセッサ３０１は、複数の正規化部３１、ＲＳＳＩ合成部３２、上り信号合成部３３、ＡＧＣ３４、および最大ＲＳＳＩ特定部３５の機能を実現する。
【００９９】
＜その他＞
なお、開示の技術は、上記した各実施例に限定されるものではなく、その要旨の範囲内で数々の変形が可能である。
【０１００】
例えば、上記した実施例１において、利得算出部３４１は、合成されたＲＳＳＩの値の変化量ΔＲが所定の閾値Ｒth以上である場合に、調整利得Ｇadjを算出するが、開示の技術はこれに限られない。例えば、利得算出部３４１は、ＲＳＳＩ合成部３２によって前回合成されたＲＳＳＩの値と、ＲＳＳＩ合成部３２によって今回合成されたＲＳＳＩの値とが異なる場合に、調整利得Ｇadjを算出してもよい。
【０１０１】
同様に、例えば、上記した実施例２において、利得算出部３４１は、最大ＲＳＳＩの値の変化量ΔＲが所定の閾値Ｒth以上である場合に、調整利得Ｇadjを算出するが、開示の技術はこれに限られない。例えば、利得算出部３４１は、最大ＲＳＳＩ特定部３５によって前回特定された最大ＲＳＳＩの値と、最大ＲＳＳＩ特定部３５によって今回特定された最大ＲＳＳＩの値とが異なる場合に、調整利得Ｇadjを算出してもよい。
【０１０２】
例えば、上記した各実施例において、合成装置３０が有する各処理ブロックは、各実施例における合成装置３０の理解を容易にするために、主な処理内容に応じて機能別に区分したものである。そのため、処理ブロックの区分方法やその名称によって、開示の技術が制限されることはない。上記した各実施例における合成装置３０が有する各処理ブロックは、処理内容に応じてさらに多くの処理ブロックに細分化することもできるし、複数の処理ブロックを１つの処理ブロックに統合することもできる。また、それぞれの処理ブロックによって実行される処理は、ソフトウェアによる処理として実現されてもよく、ＡＳＩＣ（Application  Specific  Integrated  Circuit）等の専用のハードウェアにより実現されてもよい。
【０１０３】
また、図６に示した各処理ステップの順序は、あくまで一例であり、図６に示した順序に限定されない。例えば、図６に示した各処理ステップは、処理内容が矛盾しない範囲において、各処理ステップが並行して実行されてもよく、図６に示す順序とは異なる順序で実行されてもよい。図８に示した各処理ステップについても同様である。
【符号の説明】
【０１０４】
１０  基地局システム
２０  ＲＥ
２１  アンテナ
２２  ＲＦ部
２３  ＡＤＣ
２４  デジタルフィルタ
２５  ＡＧＣ
２６  ＲＳＳＩ算出部
３０  合成装置
３００  メモリ
３０１  プロセッサ
３０２  ネットワークインターフェイス回路
３１  正規化部
３２  ＲＳＳＩ合成部
３３  上り信号合成部
３４  ＡＧＣ
３４０  信号レベル算出部
３４１  利得算出部
３４２  利得設定部
３４３  利得付与部
３５  最大ＲＳＳＩ特定部
【図１】
2017103560.tif 000003
【図２】
2017103560.tif 000004
【図３】
2017103560.tif 000005
【図４】
2017103560.tif 000006
【図５】
2017103560.tif 000007
【図６】
2017103560.tif 000008
【図７】
2017103560.tif 000009
【図８】
2017103560.tif 000010
【図９】
2017103560.tif 000011
【図１０】
2017103560.tif 000012